(57)【要約】【課題】カードなどの物品が貼られるなどして厚みに偏りがありかつ折られた状態の印刷物などであっても、斜めの状態で集積されてしまうことなく起立状態で集積することのできる集積装置を提供する。【解決手段】本実施形態の集積装置１は、排出方向が下向きになるように略円弧状に構成された円弧搬送部１００を有する搬送コンベア１０と、搬送コンベア１０の円弧搬送部１００と同様に略円弧状をなし、搬送コンベア１０の円弧搬送部１００で搬送されている印刷物２を狭持する狭持部１１０を有する狭持用コンベア１１と、集積テーブル１２に集積された印刷物２の集積枚数に応じてバネもしくはモータにより移動する受け部材１２０を有する集積テーブル１２を備え、更に、集積テーブル１２に起立状態で集積された印刷物２に下から振動を与える振動部１３が搬送コンベア１０の排出側に設けられている。【選択図】図１
2013060264.tif 000002
【特許請求の範囲】
【請求項１】
排出方向が下向きになるように略円弧状に構成された円弧搬送部を有する搬送コンベアと、前記搬送コンベアの前記円弧搬送部と同様に略円弧状をなし、前記搬送コンベアの前記円弧搬送部で搬送されている印刷物を狭持する狭持部を有する狭持用コンベアと、印刷物の集積枚数に応じて移動する受け部材を有する集積テーブルを備え、前記搬送コンベアの前記円弧搬送部から排出された起立状態の印刷物を前記狭持用コンベアと前記受け部材の間に集積する集積装置であって、前記集積テーブルに起立状態で集積された印刷物に下から振動を与える振動部を前記搬送コンベアの排出側に設けたことを特徴とする集積装置。
【発明の詳細な説明】
【技術分野】
【０００１】
本発明は、印刷機や折機などの生産機から排出される印刷物を集積する集積装置に関する。
【背景技術】
【０００２】
印刷機や折機などの生産機の排出部には、生産機から排出される印刷物を刺身状で搬送するための搬送コンベアが設けられ、搬送コンベアの排出側には、搬送コンベアで搬送されてくる印刷物を集積するための集積装置が設けられる。
【０００３】
図２は、従来の集積装置を説明する図である。特許文献１の「従来技術」に記載があるよるように、従来の集積装置３は、サイズがコンパクトでありながら印刷物３ａの集積効率を高めることができるように、コンベア３５により刺身状に搬送されてくる印刷物３ａを、対向して回動する背面側のベルト３０と内面側のベルト３１の間で挟持して、逃げベルト３４を備えた集積テーブル３２上に起立状態で印刷物を積載し、集積テーブル３２上では背面側のベルト３０と支持部材３３の間に印刷物３ａを起立状態で集積するように構成されており、特許文献１の発明は、集積テーブル３２上に起立状態で集積された印刷物３ａを所定枚数毎に確実に区分するための発明である。
【先行技術文献】
【特許文献】
【０００４】
【特許文献１】特開平７−１１２８６０号公報
【発明の概要】
【発明が解決しようとする課題】
【０００５】
しかしながら、集積テーブル上に起立状態で印刷物を集積する従来の集積装置では、カードなどの物品が貼られるなどして厚みに偏りがありかつ折られた状態の印刷物（例えば、カード台紙）や、一枚ペラなどの薄い印刷物を集積する場合、斜めの状態で集積されてしまうケースがあるため、上述したような印刷物を集積するのには適していなかった。
【０００６】
そこで、本発明は、カードなどの物品が貼られるなどして厚みに偏りがありかつ折られた状態の印刷物や、一枚ペラなどの薄い印刷物であっても、斜めの状態で集積されてしまうことなく起立状態で集積することのできる集積装置を提供することを目的とする。
【課題を解決するための手段】
【０００７】
上述した課題を解決する本発明は、排出方向が下向きになるように略円弧状に構成された円弧搬送部を有する搬送コンベアと、前記搬送コンベアの前記円弧搬送部と同様に略円弧状をなし、前記搬送コンベアの前記円弧搬送部で搬送されている印刷物を狭持する狭持部を有する狭持用コンベアと、印刷物の集積枚数に応じて移動する受け部材を有する集積テーブルを備え、前記搬送コンベアの前記円弧搬送部から排出された起立状態の印刷物を前記狭持用コンベアと前記受け部材の間に集積する集積装置であって、前記集積テーブルに起立状態で集積された印刷物に下から振動を与える振動部を前記搬送コンベアの排出側に設けたことを特徴とする。
【発明の効果】
【０００８】
上述した発明に係る集積装置よれば、搬送コンベアの円弧搬送部から排出された起立状態の印刷物を狭持用コンベアと受け部材の間に集積することで、サイズがコンパクトでありながら印刷物の集積効率を高めることができるようになるし、また、カードなどの物品が貼られるなどして厚みに偏りがありかつ折られた状態の印刷物を集積しても、本発明に係る集積装置には、集積テーブルに起立状態で集積された印刷部に下から振動を与える振動部が設けられているため、搬送コンベアから起立状態で排出された印刷物は集積テーブルに付き揃うようになり、斜めの状態で集積テーブル上に集積されることはなくなる。
【図面の簡単な説明】
【０００９】
【図１】本実施形態の集積装置を説明する図。
【図２】従来の集積装置を説明する図。
【発明を実施するための形態】
【００１０】
ここから、本発明にかかる集積装置の好適な実施形態について、図面を参照しながら詳細に説明する。なお、これから説明する実施形態は本発明の一実施形態にしか過ぎず、本種々の変形や変更が可能である。
【００１１】
図１は、本実施形態の集積装置１を説明する図である。本実施形態の集積装置１は、印刷機やカード貼り機などの生産機の搬出側に設置され、生産機から排出される印刷物２の集積に利用される装置で、図１で図示したように、本実施形態の集積装置１は、排出方向が下向きになるように略円弧状に構成された円弧搬送部１００を有する搬送コンベア１０と、搬送コンベア１０の円弧搬送部１００と同様に略円弧状をなし、搬送コンベア１０の円弧搬送部１００で搬送されている印刷物２を狭持する狭持部１１０を有する狭持用コンベア１１と、集積テーブル１２に集積された印刷物２の集積枚数に応じてバネもしくはモータにより移動する受け部材１２０を有する集積テーブル１２を備え、搬送コンベア１０の円弧搬送部１００から排出された起立状態の印刷物２を狭持用コンベア１１と受け部材１２０の間に集積する装置で、集積テーブル１２に起立状態で集積された印刷物２に下から振動を与える振動部１３が搬送コンベア１０の排出側に設けられている。
【００１２】
なお、図１では、集積テーブル１２に起立状態で集積された印刷物２を上から支える押さえ板１４と、集積テーブル１２に起立状態で集積された印刷物２を横から支えるサイド板１５（図１では、点線で記載している）を図示している。
【００１３】
本実施形態の集積装置１では、生産機から排出された印刷物２は、搬送コンベア１０により略水平状態で円弧搬送部１００まで搬送され、搬送コンベア１０の円弧搬送部１００と狭持用コンベア１１の狭持部１１０の間に狭持された状態で搬送方向が下向きになるように略円弧状に搬送されることで、印刷物２は起立状態で集積テーブル１２上に排出され、起立状態で集積テーブル１２上に排出された印刷物２は、狭持用コンベア１１と集積テーブル１２の受け部材１２０に挟まれ起立状態まま集積されるため、サイズがコンパクトでありながら印刷物２の集積効率を高めることができるようになる。
【００１４】
また、図２で図示したような従来の集積装置３では、カードなどの物品が貼られるなどして厚みに偏りがありかつ折られた状態の印刷物を集積すると、印刷物の折が膨らんでしまい、印刷物が斜めの状態で集積テーブル上に集積されてしまうことがあるが、本実施形態の集積装置１では、集積テーブル１２に起立状態で集積された印刷物２に下から振動を与える振動部１３が搬送コンベア１０の排出側に設けられているため、搬送コンベア１０から起立状態で排出された印刷物２は集積テーブル２に付き揃い、斜めの状態で集積テーブル２上に集積されることはなくなる。
【符号の説明】
【００１５】
１    集積装置
１０  搬送コンベア
１００  円弧搬送部
１１  狭持用コンベア
１１０  狭持部
１２  集積テーブル
１２０  受け部材
１３  振動部
【図１】
2013060264.tif 000003
【図２】
2013060264.tif 000004